(57)【要約】【課題】構成が簡素で、容易かつ低コストに製造組み立てできる、２波長対応の光ピックアップ装置を提供する。【解決手段】互いに異なる第１および第２の波長を持つ第１および第２のレーザ光をそれぞれ出射する第１および第２の半導体レーザと、第１または第２のレーザ光である発散光を平行光にするコリメータレンズ（２８）と、コリメータレンズの焦点距離を調整するために第２の半導体レーザの出射側に配置されたカップリングレンズと、第１および第２のレーザ光をそれぞれ３本のレーザ光に分離する第１および第２の回折格子とを有している。第２の回折格子およびカップリングレンズの両機能をなす、単一部品である回折格子付きカップリングレンズ（２０）を有している。回折格子付きカップリングレンズ（２０）は、カップリングレンズ機能を奏するために曲面を呈するＲ面（２０ａ）と、Ｒ面の反対側に形成された回折格子面（２０ｂ）とを備えている。【選択図】      図４
2004227670.tif 000002
【特許請求の範囲】
【請求項１】
記録密度の異なる２種類の光ディスクに対して情報の再生および記録のうちの少くとも再生を行うことが可能な光ピックアップ装置であって、
互いに異なる第１および第２の波長を持つ第１および第２のレーザ光をそれぞれ出射する第１および第２の半導体レーザと、前記第１または前記第２のレーザ光である発散光を平行光にするコリメータレンズと、前記コリメータレンズの焦点距離を調整するために前記第２の半導体レーザの出射側に配置されたカップリングレンズと、前記第１および前記第２のレーザ光をそれぞれ３本のレーザ光に分離する第１および第２の回折格子とを有する光ピックアップ装置において、
前記第２の回折格子および前記カップリングレンズの両機能をなす、単一部品である回折格子付きカップリングレンズを有し、
前記回折格子付きカップリングレンズは、カップリングレンズ機能を奏するために曲面を呈するＲ面と、該Ｒ面の反対側に形成された回折格子面とを備えていることを特徴とする光ピックアップ装置。
【請求項２】
前記Ｒ面は、非球面状を呈する請求項１に記載の光ピックアップ装置。
【請求項３】
前記回折格子付きカップリングレンズは、その側面に凹状を呈する位置決め部を備えている請求項１または２に記載の光ピックアップ装置。
【請求項４】
前記回折格子付きカップリングレンズは、そのコバ面外縁部分に凹状を呈する位置決め部を備えている請求項１または２に記載の光ピックアップ装置。
【請求項５】
前記回折格子付きカップリングレンズは、その側面に凸状を呈する位置決め部を備えている請求項１または２に記載の光ピックアップ装置。
【請求項６】
前記回折格子付きカップリングレンズは、そのコバ面外縁に凸状を呈する位置決め部を備えている請求項１または２に記載の光ピックアップ装置。
【請求項７】
前記回折格子付きカップリングレンズは、コバ面に凹状を呈する回折格子調整凹部を備えており、前記回折格子面は、前記回折格子調整凹部の底面に形成されている請求項１乃至６のいずれかに記載の光ピックアップ装置。
【請求項８】
前記回折格子付きカップリングレンズは、樹脂製である請求項１乃至７のいずれかに記載の光ピックアップ装置。
【請求項９】
前記回折格子付きカップリングレンズは、光学部品を支持する光学ベースへの取り付けのためのホルダと共に単一部品として樹脂によって形成されている請求項１、２、または７に記載の光ピックアップ装置。
【請求項１０】
前記回折格子付きカップリングレンズは、前記回折格子面が前記第２の半導体レーザに対面するようにして配置される請求項１乃至９のいずれかに記載の光ピックアップ装置。
【請求項１１】
前記回折格子付きカップリングレンズは、前記Ｒ面が前記第２の半導体レーザに対面するようにして配置される請求項１乃至９のいずれかに記載の光ピックアップ装置。
【請求項１２】
前記第１の半導体レーザがＤＶＤ用の半導体レーザであり、前記第２の半導体レーザがＣＤ用の半導体レーザである請求項１乃至１１に記載の光ピックアップ装置。
【発明の詳細な説明】
【０００１】
【発明の属する技術分野】
本発明は、ＣＤ、ＣＤ−ＲＯＭ、ＣＤ−Ｒ、およびＣＤ−ＲＷ等とＤＶＤ−ＲＯＭ、ＤＶＤ−Ｒ、ＤＶＤ−ＲＷ、ＤＶＤ＋Ｒ、ＤＶＤ＋ＲＷ、およびＤＶＤ−ＲＡＭの少くともいずれか等との組み合わせなど、記録密度の異なる２種類の光ディスクに対して情報の再生および記録のうちの少くとも再生を行う光ディスクドライブに用いられる光ピックアップ装置に関する。このような光ピックアップ装置は、互いに波長の異なる２種類のレーザ光を使い分けて光学的記録媒体（光ディスク）に対する記録・再生を行なうので、２波長対応光ピックアップ装置とも呼ばれる。
【０００２】
【従来の技術】
記録密度の異なる２種類の光ディスクとしては、例えば、ＤＶＤ（ディジタルビデオディスク）とＣＤ（コンパクトディスク）との組み合せからなるものや、ＤＶＤとＢｌｕｅ−ｒａｙとの組み合せからなるもの、また、その他組み合わせなどが考えられる。ここでは、ＤＶＤとＣＤとの組み合わせからなるものについて説明するが、ＤＶＤとＢｌｕｅ−ｒａｙとの組み合せからなるものにも同様に適用させるのは言うまでもない。
【０００３】
周知のように、ＤＶＤプレーヤにおいては、ＤＶＤとＣＤとのいずれに対しても記録・再生可能にするために特別の光ピックアップ装置が搭載されたものが存在している。そのような特別の光ピックアップ装置は、ＤＶＤ用の短波長レーザ光（波長約６５０ｎｍ）とＣＤ用の長波長レーザ光（波長約７８０ｎｍ）との２種類のレーザ光を使い分けて記録・再生を行なうものであり、２波長対応光ピックアップ装置と呼ばれている。
【０００４】
この種の２波長対応光ピックアップ装置は、ＤＶＤ用の短波長レーザ光を出射するためのＤＶＤ用の半導体レーザ（ＬＤ）と、ＣＤ用の長波長レーザ光を出射するためのＣＤ用の半導体レーザ（ＬＤ）とを備えている。
【０００５】
以下、図１を参照して、従来の２波長対応光ピックアップ装置について説明する。図１は、２波長対応光ピックアップ装置の光学系のシステム構成図（光路図）である。尚、この例では、光学的記録媒体（光ディスク）が水平に置かれた場合を例に挙げて説明するが、垂直（鉛直）に置かれてもよいのは勿論である。尚、図１では、上下を逆にして図示している。尚、光ディスクを単にディスクと呼ぶ場合もある。
【０００６】
図示の２波長対応光ピックアップ装置は、第１の波長を持つ第１のレーザ光を出射するＤＶＤ用の第１の半導体レーザ１１と、第１の波長とは異なる第２の波長を持つ第２のレーザ光を出射するＣＤ用の第２の半導体レーザ１２と、第１および第２の回折格子（グレーティング）１６および１７と、カップリングレンズ１９と、第１および第２の波長選択偏光ビームスプリッタ２１および２２と、広帯域１／４波長板２４と、全反射ミラー２６と、コリメータレンズ２８と、対物レンズ３０と、検出レンズ３２と、受光素子（光検出器）３４とを備えている。
【０００７】
第１の回折格子１６、第１の波長選択偏光ビームスプリッタ２１、広帯域１／４波長板２４、全反射ミラー２６、コリメータレンズ２８、対物レンズ３０、第２の波長選択偏光ビームスプリッタ２２、および検出レンズ３２の組み合わせは、第１の半導体レーザ１１から出射された第１のレーザ光を光ディスク４０側へ導くとともに、この光ディスク４０側から反射された第１の戻り光を透過して光検出器３４へ導く第１の光学系として働く。同様に、カップリングレンズ１９、第２の回折格子１７、第２の波長選択偏光ビームスプリッタ２２、第１の波長選択偏光ビームスプリッタ２１、広帯域１／４波長板２４、全反射ミラー（立上げミラー）２６、コリメータレンズ２８、対物レンズ３０、および検出レンズ３２の組み合わせは、第２の半導体レーザ１２から出射された第２のレーザ光を光ディスク４０Ａ側へ導くとともに、この光ディスク４０Ａ側から反射された第２の戻り光を透過して光検出器３４へ導く第２の光学系として働く。
【０００８】
次に、各光学要素の作用（働き）について説明する。
【０００９】
第１の半導体レーザ１１は、第１の波長としてＤＶＤ用の波長約６５０ｎｍを持つ第１のレーザ光を出射する半導体レーザであって、「ＤＶＤ−ＬＤ」と略称される。第２の半導体レーザ１２は、第２の波長としてＣＤ用の波長約７８０ｎｍを持つ第２のレーザ光を出射する半導体レーザであって、「ＣＤ−ＬＤ」と略称される。第１の回折格子１６は、第１の半導体レーザ１１から出射された１本の第１のレーザ光を３本のレーザ光（中央の光束とその両側の２本の光束）に分離するためのものである。同様に、第２の回折格子１７は、第２の半導体レーザＬＤ２から出射された１本の第２のレーザ光を３本のレーザ光（中央の光束とその両側の２本の光束）に分離するためのものである。
【００１０】
カップリングレンズ１９は、後述するように、焦点距離を調節するためのものである。
【００１１】
第１の波長選択偏光ビームスプリッタ２１は、第１の回折格子１６を介して入射した３本の第１のレーザ光を反射すると共に、後述するように、光ディスク４０からの反射光を透過するためのものである。同様に、第２の波長選択偏光ビームスプリッタ２２は、第２の回折格子１７を介して入射した３本の第２のレーザ光を反射透過すると共に、後述するように、光ディスク４０又は４０Ａからの反射光を透過するためのものである。尚、第１の波長選択偏光ビームスプリッタ２１は、第２の波長選択偏光ビームスプリッタ２２から反射されたレーザ光を透過して、コリメータレンズ２８側へ出射する機能をも果たす。
【００１２】
とにかく、第１および第２の波長選択偏光ビームスプリッタ２１および２２の組み合わせは、第１の半導体レーザ１１から出射された第１のレーザ光又は第２の半導体レーザ１２から出射された第２のレーザ光を同一の光軸上へ反射する光軸一致手段として働く。
【００１３】
広帯域１／４波長板２４は、直線偏光と円偏光との間で偏光方向を変える手段として働く。全反射ミラー２６は、広帯域１／４波長板２４からのレーザ光を直角に折り曲げて反射するためのものである。コリメータレンズ２８は、全反射ミラー２６で反射されたレーザ光を平行光に変換するためのものである。対物レンズ３０はコリメータレンズ２８からの平行光を光ディスク４０又は４０Ａ上へ照射するためのものである。
【００１４】
尚、光ディスク４０又は４０Ａで反射された反射光（戻り光）は、後述するように、検出レンズ３２を介して光検出器３４で受光される。
【００１５】
ここで、第１の波長選択偏光ビームスプリッタ２１は、波長約６５０ｎｍの光に対してはＳ偏光を反射し、Ｐ偏光を透過する特性を持つが、波長約７８０ｎｍの光に対しては偏光方向に関係なく透過率１００％の特性を持っている。一方、第２の波長選択偏光ビームスプリッタ２２は、波長約６５０ｎｍの光に対しては偏光方向に関係なく透過率１００％の透過率の特性を持っているが、波長約７８０ｎｍの光に対してはＳ偏光を反射し、Ｐ偏光を透過する特性を持っている。
【００１６】
次に、図１に示した従来の２波長対応光ピックアップ装置の動作について説明する。最初に、光ディスクとしてＤＶＤ４０を使用した場合の動作について説明し、その後で、光ディスクとしてＣＤ４０Ａを使用した場合の動作について説明する。
【００１７】
光ディスクがＤＶＤ４０である場合、第１の半導体レーザ１１（ＤＶＤ−ＬＤ）のみが動作状態に置かれ、第２の半導体レーザ１２（ＣＤ−ＬＤ）は非動作状態に置かれる。したがって、第１の半導体レーザ１１のみが第１のレーザ光を出射している。
【００１８】
ＤＶＤ用の第１の半導体レーザ１１から出射された直線偏光（Ｓ偏光）の第１のレーザ光は、第１の回折格子１６を通り、ここでトラッキング制御を行うための３本のレーザ光に分離される。その後、第１の波長選択偏光ビームスプリッタ２１に入射する。この第１の波長選択偏光ビームスプリッタ２１に入射したＳ偏光の第１のレーザ光は、その光路が９０°曲げられる（すなわち、反射される）。この第１の波長選択偏光ビームスプリッタ２１で反射されたＳ偏光の第１のレーザ光は、広帯域１／４波長板２４を透過し、ここで、直線偏光（Ｓ偏光）から円偏光に変換される。この円偏光の第１のレーザ光は、全反射ミラー２６で上部方向に反射される。この全反射ミラー２６を反射したレーザ光は、コリメータレンズ２８を透過すると、発散光であったレーザ光が平行光にされて、対物レンズ３０に入射する。この対物レンズ３０を透過したレーザ光は、ここで収束されて、光ディスク（ＤＶＤ）４０の記録面に照射される（集光される）。
【００１９】
この光ディスク（ＤＶＤ）４０の記録面からの反射光（第１の戻り光）は、対物レンズＯＬを通過し、コリメータレンズ２８を透過した後、収束光になる。この収束光は、全反射ミラー２６で反射された後、再度、広帯域１／４波長板２４を通ることで、円偏光が直線偏光（Ｐ偏光）に変換される。このＰ偏光は、第１の波長選択偏光ビームスプリッタ２１を透過する。この第１の波長選択偏光ビームスプリッタ２１を透過したＰ偏光は、第２の波長選択偏光ビームスプリッタ２２および検出レンズ３２を透過した後、光検出器３４に集光する（で受光される）。
【００２０】
次に、光ディスクがＣＤ４０Ａである場合、第２の半導体レーザ１２（ＣＤ−ＬＤ）のみが動作状態に置かれ、第１の半導体レーザ１１（ＤＶＤ−ＬＤ）は非動作状態に置かれる。したがって、第２の半導体レーザ１２のみが第２のレーザ光を出射している。尚、この技術分野で周知のように、２波長対応光ピックアップ装置は、書込みモードと再生モードとのいずれか一方のモードで動作する。
【００２１】
ＣＤ用の第２の半導体レーザ１２から出射された直線偏光（Ｓ偏光）の第２のレーザ光は、カップリングレンズ１９を透過し、第２の回折格子１７で３本のレーザ光に分離された後、第２の波長選択偏光ビームスプリッタ２２に入射する。この第２の波長選択偏光ビームスプリッタ２２に入射したＳ偏光の第２のレーザ光は、その光路が９０°曲げられる（すなわち、反射される）。第２の波長選択偏光ビームスプリッタ２２で反射された第２のレーザ光は、第１の波長選択偏光ビームスプリッタ２１を透過し、広帯域１／４波長板２４を透過し、ここで、直線偏光（Ｓ偏光）から円偏光に変換される。この円偏光の第２のレーザ光は、全反射ミラー２６で上部方向に反射される。この全反射ミラー２６を反射したレーザ光は、コリメータレンズ２８を透過すると、発散光であったレーザ光が平行光にされて、対物レンズ３０に入射する。この対物レンズ３０を透過したレーザ光は、ここで収束されて、光ディスク（ＣＤ）４０Ａの記録面に照射される（集光される）。
【００２２】
この光ディスク（ＣＤ）４０Ａの記録面からの反射光（第２の戻り光）は、鉛直下方向へ進み、対物レンズ３０を通過し、コリメータレンズ２８を透過した後、収束光になる。この収束光は、全反射ミラー２６で反射され、再度、広帯域１／４波長板２４を通ることで、円偏光が直線偏光（Ｐ偏光）に変換される。このＰ偏光は、第１および第２の波長選択偏光ビームスプリッタ２１および２２を透過する。この第２の波長選択偏光ビームスプリッタ２２を透過したレーザ光は、検出レンズ３２を透過した後、光検出器３４に集光する（で受光される）。
【００２３】
ＤＶＤ４０およびＣＤ４０Ａに対して再生のみならず記録を行う場合には、対物レンズ３０先のスポットサイズの最適化は勿論のこと、記録に必要な対物レンズ３０先の光量を確保する必要があり、光学系も独立して最適化させる必要がある。
【００２４】
図１に示した従来の２波長対応光ピックアップ装置では、カップリングレンズ１９は、光学ベース（図示せず）に予め固定されている。そして、第２の半導体レーザ１２単体は専用のホルダ（図示せず）に固定し、光学ベースに対して第２の半導体レーザ１２をＸ軸、Ｙ軸、Ｚ軸方向にそれぞれ動かせるようにしている。
【００２５】
しかしながら、完全に異なるディスク仕様に合わせた光学系を独立させるとすると、コスト高になるばかりでなく、スペース効率も悪くなる。そこで、対物レンズ３０、コリメータレンズ２８、ビームスプリッタ、全反射ミラー２６、広帯域１／４波長板２４などを共通化させる方法が一般に採用されている。
【００２６】
しかしながら、図２（ａ）に示されるように、記録密度が高いディスク（例えば、ＤＶＤ）４０は、ディスク４０上のスポットサイズを小さくする必要があるため、第１の半導体レーザ１１の波長を短く、対物レンズ３０のＮＡ（開口数）を大きくする必要がある。
【００２７】
また、無限光学系の場合は、コリメータレンズ２８の焦点距離は重要なポイントである。コリメータレンズ２８の焦点距離を長くすると、リム見込み角が小さくなるため、ディスク４０上でのスポットサイズは小さくなるが、対物レンズ３０からの出射光量は少なくなる。また、コリメータレンズ２８の焦点距離は半導体レーザのＦＦＰ（ファーフィールドパターン）を考慮に入れる必要がある。
【００２８】
一方、図２（ｂ）に示されるように、記録密度が低いディスク（例えば、ＣＤ）４０Ａは、対物レンズ２８のＮＡの差などから、対物レンズ２８からの出射光量が少なくなる。
【００２９】
図２において、α＞βの場合、α’＞β’となり、対物レンズ３０に入射する光量は、記録密度が低いメディア４０Ａの方が少なくなる。その場合、コリメータレンズをＤＶＤ用、ＣＤ用に分けて焦点距離を最適化する方法があるが、コストアップとスペース効率が悪くなる。
【００３０】
そこで、一般に記録密度が低いディスク仕様では、図３に示すように、半導体レーザ（図示せず）とコリメータレンズ２８との間にカップリングレンズ１９を挿入配置し、カップリングレンズ１９とコリメータレンズ２８との合計の焦点距離をコリメータレンズ２８単体の焦点距離よりも短くし、対物レンズ３０からの出射光量を多くする手法が考えられる。
【００３１】
このとき、挿入後の見込み角γは、カップリングレンズ１９無しの場合のリム見込み角β’よりも大きくなる。ただし、カップリングレンズ１９とコリメータレンズ２８との合計の焦点距離が短くなれば、ディスク４０Ａ上でのスポットサイズも大きくなるため、目標となるスポットサイズを考慮に入れて設計する必要がある。
【００３２】
【特許文献１】
特開２００２−３３４４７７号公報
【００３３】
【発明が解決しようとする課題】
しかし、図３に示した例では、カップリングレンズとコリメータレンズとの合計の焦点距離がコリメータレンズ単体の焦点距離よりも短くなることで、光学部品間の距離が狭くなるため、組み立てが困難である。また、光学部品としてカップリングレンズが増えることから、コストアップを招く。
【００３４】
それ故、本発明の技術的課題は、構成が簡素で、容易かつ低コストに製造組み立てできる、２波長対応の光ピックアップ装置を提供することである。
【００３５】
【課題を解決するための手段】
本発明によれば、記録密度の異なる２種類の光ディスクに対して情報の再生および記録のうちの少くとも再生を行うことが可能な光ピックアップ装置であって、互いに異なる第１および第２の波長を持つ第１および第２のレーザ光をそれぞれ出射する第１および第２の半導体レーザと、前記第１または前記第２のレーザ光である発散光を平行光にするコリメータレンズ（２８）と、前記コリメータレンズの焦点距離を調整するために前記第２の半導体レーザの出射側に配置されたカップリングレンズと、前記第１および前記第２のレーザ光をそれぞれ３本のレーザ光に分離する第１および第２の回折格子とを有する光ピックアップ装置において、前記第２の回折格子および前記カップリングレンズの両機能をなす、単一部品である回折格子付きカップリングレンズ（２０）を有し、前記回折格子付きカップリングレンズ（２０）は、カップリングレンズ機能を奏するために曲面を呈するＲ面（２０ａ）と、該Ｒ面の反対側に形成された回折格子面（２０ｂ）とを備えていることを特徴とする光ピックアップ装置が得られる。
【００３６】
本発明によれば、前記Ｒ面（２０ａ）は、非球面状を呈する前記光ピックアップ装置が得られる。
【００３７】
本発明によれば、前記回折格子付きカップリングレンズは、その側面に凹状を呈する位置決め部（１３１）を備えている前記光ピックアップ装置が得られる。
【００３８】
本発明によれば、前記回折格子付きカップリングレンズは、そのコバ面外縁部分に凹状を呈する位置決め部を備えている前記光ピックアップ装置が得られる。
【００３９】
本発明によれば、前記回折格子付きカップリングレンズは、その側面に凸状を呈する位置決め部（１３５）を備えている前記光ピックアップ装置が得られる。
【００４０】
本発明によれば、前記回折格子付きカップリングレンズは、そのコバ面外縁に凸状を呈する位置決め部（１３４）を備えている前記光ピックアップ装置が得られる。
【００４１】
本発明によれば、前記回折格子付きカップリングレンズは、コバ面に凹状を呈する回折格子調整凹部（１４３）を備えており、前記回折格子面（２０ｂ）は、前記回折格子調整凹部（１４３）の底面に形成されている前記光ピックアップ装置が得られる。
【００４２】
本発明によれば、前記回折格子付きカップリングレンズ（２０）は、樹脂製である前記光ピックアップ装置が得られる。
【００４３】
本発明によれば、前記回折格子付きカップリングレンズ（２０）は、光学部品を支持する光学ベースへの取り付けのためのホルダと共に単一部品として樹脂によって形成されている前記光ピックアップ装置。
【００４４】
本発明によれば、前記回折格子付きカップリングレンズ（２０）は、前記回折格子面（２０ｂ）が前記第２の半導体レーザに対面するようにして配置される前記光ピックアップ装置が得られる。
【００４５】
本発明によれば、前記回折格子付きカップリングレンズ（２０）は、前記Ｒ面（２０ａ）が前記第２の半導体レーザに対面するようにして配置される前記光ピックアップ装置が得られる。
【００４６】
本発明によれば、前記第１の半導体レーザがＤＶＤ用の半導体レーザであり、前記第２の半導体レーザがＣＤ（４０Ａ）用の半導体レーザである前記光ピックアップ装置が得られる。
【００４７】
尚、上記括弧内の参照符号は、本発明の理解を容易にするために付したものであり、一例に過ぎず、これらに限定されないのは、勿論である。
【００４８】
【発明の実施の形態】
以下、本発明の実施の形態について図面を参照しながら説明する。
【００４９】
本発明の実施の形態による光ピックアップ装置は、２波長対応光ピックアップ装置であり、図示はしないが、第１の波長を持つ第１のレーザ光を出射するＤＶＤ用の第１の半導体レーザと、第１の波長とは異なる第２の波長を持つ第２のレーザ光を出射するＣＤ用の第２の半導体レーザと、第１および第２の波長選択偏光ビームスプリッタと、広帯域１／４波長板と、全反射ミラーと、コリメータレンズと、対物レンズと、検出レンズと、受光素子（光検出器）とを、図１に示した従来例と同様に有している。
【００５０】
［実施の形態１］
図４を参照して、本発明の実施の形態１による光ピックアップ装置は、第１または第２のレーザ光である発散光を平行光にするコリメータレンズ２８と、コリメータレンズ２８の焦点距離を調整するために、ディスク（ＣＤ）４０Ａ用の第２の半導体レーザ（図示はしないが、図中左端に位置している）の出射側に配置されたカップリングレンズと、第１および第２のレーザ光をそれぞれ３本のレーザ光に分離する第１および第２の回折格子とを有している。
【００５１】
特に、本実施の形態では、第２の回折格子およびカップリングレンズの両機能をなす、単一部品である回折格子付きカップリングレンズ２０を有している。回折格子付きカップリングレンズ２０は、カップリングレンズ機能を奏するために曲面を呈するＲ面２０ａと、Ｒ面２０ａの反対側に形成された回折格子面２０ｂとを備えている。
【００５２】
回折格子付きカップリングレンズ２０は、回折格子面２０ｂが第２の半導体レーザに対面するようにして配置されている。
【００５３】
回折格子面２０ｂを第２の半導体レーザに対面するようにして配置する場合には、回折格子面をコリメータレンズ２８に対面させる場合に比べて球面収差を低く抑えることができる。また、カップリングレンズとコリメータレンズ２８との合計の焦点距離を短くすることで切るため、記録密度が高いＤＶＤなどのディスクと記録密度が低いＣＤなどのディスク仕様との対物レンズ３０のＮＡ差が大きい場合に対して、特に有効である。
【００５４】
また、Ｒ面２０ａは、非球面状を呈していてもよい。この場合には、球面収差をさらに低く抑えることが可能である。
【００５５】
［実施の形態２］
図５を参照して、本発明の実施の形態２による光ピックアップ装置は、実施の形態１と同様に、第１または第２のレーザ光である発散光を平行光にするコリメータレンズ２８と、コリメータレンズ２８の焦点距離を調整するために、ディスク（ＣＤ）４０Ａ用の第２の半導体レーザ（図示はしないが、図中左端に位置している）の出射側に配置されたカップリングレンズと、第１および第２のレーザ光をそれぞれ３本のレーザ光に分離する第１および第２の回折格子とを有している。
【００５６】
本実施の形態も実施の形態１と同様に、第２の回折格子およびカップリングレンズの両機能をなす、単一部品である回折格子付きカップリングレンズ２０を有している。回折格子付きカップリングレンズ２０は、カップリングレンズ機能を奏するために曲面を呈するＲ面２０ａと、Ｒ面２０ａの反対側に形成された回折格子面２０ｂとを備えている。
【００５７】
ただし、回折格子付きカップリングレンズ２０は、実施の形態１とは異なり、Ｒ面２０ａが第２の半導体レーザに対面するようにして配置されている。
【００５８】
Ｒ面２０ａを第２の半導体レーザに対面するようにして配置する場合には、記録密度が高いＤＶＤなどのディスク仕様と記録密度が低いＣＤなどのディスク仕様との対物レンズ３０のＮＡ差が大きい場合に対して、球面収差を低く抑えることが難しいものの、ＮＡ差が比較的小さいものでは球面収差が小さくなるため、有効である。
【００５９】
Ｒ面２０ａは、非球面状を呈していてもよい。この場合には、球面収差を低く抑えることが可能である。
【００６０】
［実施の形態３］
従来、光ピックアップ装置における回折格子は、光学ベース等に対して位置決めを必要としている。本発明における回折格子付きカップリングレンズも、位置決めを必要とする。
【００６１】
したがって、本光ピックアップ装置では、図６（ａ）〜（ｃ）ならびに図７（ａ）および（ｂ）に示すような位置決めのための構造を有している。
【００６２】
図６（ａ）を参照して、回折格子付きカップリングレンズ１２１は、その側面に凹状を呈する位置決め部として、二箇所の平面部１３１を備えている。図６（ｂ）を参照して、回折格子付きカップリングレンズ１２２は、その側面に凹状を呈する位置決め部として、四箇所の平面部１３２を備えている。図６（ｃ）を参照して、回折格子付きカップリングレンズ１２３は、その側面に凹状を呈する位置決め部として、平面部１３３ａおよび切り欠き部１３３ｂを備えている。
【００６３】
また、図示はしないが、回折格子付きカップリングレンズのコバ面外縁部分に、凹状を呈する位置決め部を備えていてもよい。
【００６４】
このように、回折格子付きカップリングレンズに位置決めのための凹部を設ける場合には、回折格子付きカップリングレンズは、コンプレッション成型によるガラス製とするか、あるいは、射出成型等による樹脂製とすることができる。
【００６５】
さらに、図７（ａ）を参照して、回折格子付きカップリングレンズ１２４は、そのコバ面外縁に凸状を呈する位置決め部として、突起部１３４を備えている。図７（ｂ）を参照して、回折格子付きカップリングレンズ１２５は、その側面に凸状を呈する位置決め部として、突起部１３５を備えている。このように、回折格子付きカップリングレンズに位置決めのための突起部を設ける場合には、製造のし易さの理由により、回折格子付きカップリングレンズを射出成型等による樹脂製とすることが好ましい。
【００６６】
［実施の形態４］
図６（ｃ）を参照して、回折格子付きカップリングレンズ１２３は、コバ面に凹状を呈する回折格子調整凹部として、凹部１４３を備えている。回折格子２０ｃが形成された回折格子面２０ｂは、凹部１４３の底面に形成されている。このように、回折格子付きカップリングレンズにを設ける場合には、製造のし易さの理由により、回折格子付きカップリングレンズを射出成型等による樹脂製とすることが好ましい。
【００６７】
［実施の形態５］
回折格子付きカップリングレンズを射出成型等による樹脂製とする場合には、回折格子付きカップリングレンズは、光学部品を支持する光学ベース（図示せず）への取り付けのためのホルダ（図示せず）と共に単一部品として形成することができる。これにより、コストダウンが図れる。
【００６８】
【発明の効果】
本発明による２波長対応の光ピックアップ装置は、構成が簡素で、容易かつ低コストに製造組み立てできる。
【図面の簡単な説明】
【図１】従来の２波長対応の光ピックアップ装置の構成を示す図である。
【図２】（ａ）および（ｂ）は、従来の２波長対応の光ピックアップ装置の機能を説明するための図である。
【図３】従来の２波長対応の光ピックアップ装置一例の要部を示す図である。
【図４】本発明の実施の形態１による２波長対応の光ピックアップ装置の要部を示す図である。
【図５】本発明の実施の形態２による２波長対応の光ピックアップ装置の要部を示す図である。
【図６】（ａ）〜（ｃ）本発明の実施の形態３の各例または４による２波長対応の光ピックアップ装置の要部を示す図である。
【図７】（ａ）および（ｂ）本発明の実施の形態３の各例による２波長対応の光ピックアップ装置の要部を示す図である。
【符号の説明】
１１    第１の半導体レーザ
１２    第２の半導体レーザ
１７    第２の回折格子
１９    カップリングレンズ
２０、１２１〜１２５    回折格子付きカップリングレンズ
２０ａ  Ｒ面
２０ｂ  回折格子面
２０ｃ  回折格子
２８    コリメータレンズ
４０    光ディスク（ＤＶＤ）
４０Ａ  光ディスク（ＣＤ）
１３１、１３２、１３３ａ  平面部
１３３ｂ  切り欠き部
１３４、１３５    突起部
１４３    凹部
【図１】
2004227670.tif 000003
【図２】
2004227670.tif 000004
【図３】
2004227670.tif 000005
【図４】
2004227670.tif 000006
【図５】
2004227670.tif 000007
【図６】
2004227670.tif 000008
【図７】
2004227670.tif 000009